(57)【要約】【課題】干渉波電力値の測定精度を向上させることができる干渉波電力測定装置を提供する。【解決手段】本発明の干渉波電力測定装置は、受信信号の１つのパスの信号を逆拡散して逆拡散結果を生成する複数のフィンガ１０３と、前記受信信号から遅延プロファイルを作成する遅延プロファイル計算部１０１と、前記遅延プロファイルに基づいて前記フィンガにパスの位相を割り当てるパスサーチ割当部１０２と、前記フィンガから得た前記逆拡散結果に基づいて干渉波電力値を演算する電力値演算部１０４と、を具備する。パスサーチ割当部１０２は、前記遅延プロファイルよりフィンガ閾値を算出し、前記フィンガ閾値と前記遅延プロファイルから有効なパスの位相を判断して前記フィンガに割り当て、前記有効なパスの位相を割り当てないフィンガが存在する時に当該フィンガに対し所定の位相を割り当てる。【選択図】　　　図１
2004056585.tif 000002
【特許請求の範囲】
【請求項１】
拡散コードを用いて受信信号の１つのパスの信号を逆拡散して逆拡散結果を生成する複数のフィンガと、前記受信信号から遅延プロファイルを作成する遅延プロファイル計算手段と、前記遅延プロファイルに基づいて前記フィンガにパスの位相を割り当てるパスサーチ割り当て手段と、前記フィンガから得た前記逆拡散結果に基づいて干渉波電力値を演算する電力値演算手段と、を具備し、前記パスサーチ割り当て手段は、前記遅延プロファイルからフィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し所定の位相を割り当てることを特徴とする干渉波電力測定装置。
【請求項２】
前記パスサーチ割り当て手段は、前記遅延プロファイルからフィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し前記有効なパスの位相の平均値を割り当てることを特徴とする請求項１記載の干渉波電力測定装置。
【請求項３】
前記パスサーチ割り当て手段は、前記フィンガ閾値と前記遅延プロファイルから有効なパスの位相を判断して順次に前記フィンガに割り当て、かつ、前記有効なパスの位相を割り当てないフィンガが存在する時に当該フィンガに対し、ブランチ毎に有効なパスの相関値の合計値を求めて前記合計値が最大のブランチを算出して前記合計値が最大のブランチの位相を割り当てることを特徴とする請求項１記載の干渉波電力測定装置。
【請求項４】
前記パスサーチ割り当て手段は、前記フィンガ閾値と前記遅延プロファイルから有効なパスの位相を順次に前記フィンガに割り当て、かつ、前記有効なパスの位相を割り当てないフィンガが存在する時に当該フィンガに対し、過去に割り当てた前記有効なパスの位相を抽出し前記抽出した位相を割り当てることを特徴とする請求項１記載の干渉波電力測定装置。
【請求項５】
拡散コードを用いて受信信号の１つのパスの信号を逆拡散して逆拡散結果を生成する複数のフィンガと、前記受信信号から遅延プロファイルを作成する遅延プロファイル計算手段と、前記遅延プロファイルに基づいて前記フィンガにパスの位相を割り当てるパスサーチ割り当て手段と、前記フィンガから得た前記逆拡散結果に基づいて干渉波電力値を演算する電力値演算手段と、を具備し、前記パスサーチ割り当て手段は、過去に前記有効なパスが存在したブランチからは前記干渉波電力値に基づいて前記フィンガ閾値を算出し、また、過去に前記有効なパスが存在しなかったブランチからは前記遅延プロファイルに基づいて前記フィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し前記有効なパスの位相の平均値を割り当てることを特徴とする干渉波電力測定装置。
【請求項６】
請求項１から請求項５のいずれかに記載の干渉波電力測定装置を具備することを特徴とする移動局装置。
【請求項７】
請求項１から請求項５のいずれかに記載の干渉波電力測定装置を具備することを特徴とする基地局装置。
【発明の詳細な説明】
【０００１】
【発明の属する技術分野】
本発明は、符号分割多元接続（ＣＤＭＡ）方式の移動体通信システムにおいて無線通信機の干渉波電力値測定装置に関するものである。
【０００２】
【従来の技術】
移動体通信システムにおいては、１つの基地局からの信号が移動局に到達する時に、また、１つの移動局からの信号が基地局に到達する時に、直接波又は間接波など複数のパス（マルチパス）が存在する。ＣＤＭＡ方式においては、このようなマルチパスの信号をそれぞれのパスに分離してデータとして認識することが可能であるため、マルチパスの信号をそれぞれパス毎に逆拡散するためのフィンガを設けることにより、フィンガ毎の希望波電力値及び干渉波電力値を求めることができる。
【０００３】
従来の干渉波電力値の測定方法として、特開２００１−２４５５７号公報に記載されたものがある。この従来の干渉波電力値の測定方法においては、干渉波電力値は、各フィンガから得られた干渉波電力値を有効フィンガ数で平均して干渉波電力値を求めている。ここで、有効フィンガ数は、有効なパスに割り当てられたフィンガの数のことである。また、有効フィンガ数は受信状況によって有効なパスの数が異なるので変化する。
【０００４】
【発明が解決しようとする課題】
しかしながら、従来の干渉波電力値測定方法においては、干渉波電力値測定値が有効なフィンガ数に依存しているため、特に有効なフィンガ数が少ない時には分散が大きくなり干渉波電力値の測定精度が悪くなるという問題がある。
【０００５】
本発明は、かかる点に鑑みてなされたものであり、干渉波電力値の測定精度を向上させることができる干渉波電力測定装置を提供することを目的とする。
【０００６】
【課題を解決するための手段】
本発明の干渉波電力測定装置は、拡散コードを用いて受信信号の１つのパスの信号を逆拡散して逆拡散結果を生成する複数のフィンガと、前記受信信号から遅延プロファイルを作成する遅延プロファイル計算手段と、前記遅延プロファイルに基づいて前記フィンガにパスの位相を割り当てるパスサーチ割り当て手段と、前記フィンガから得た前記逆拡散結果に基づいて干渉波電力値を演算する電力値演算手段と、を具備し、前記パスサーチ割り当て手段は、前記遅延プロファイルからフィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し所定の位相を割り当てる構成を採る。
【０００７】
この構成によれば、一定の数のフィンガに位相を割り当てることができるため、有効なパス数が少ない場合でも、フィンガの数による分散が少ない干渉波電力値を算出することができるから、干渉波電力値の測定精度を向上させることができる。
【０００８】
本発明の干渉波電力測定装置は、前記構成において、前記パスサーチ割り当て手段が、前記遅延プロファイルからフィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し前記有効なパスの位相の平均値を割り当てる構成を採る。
【０００９】
この構成によれば、一定の数のフィンガに位相を割り当てることができるため、有効なパス数が少ない場合でも、フィンガの数による分散が少ない干渉波電力値を算出することができるから、干渉波電力値の測定精度を向上させることができる。
【００１０】
本発明の干渉波電力測定装置は、前記構成において、前記パスサーチ割り当て手段が、前記フィンガ閾値と前記遅延プロファイルから有効なパスの位相を判断して順次に前記フィンガに割り当て、かつ、前記有効なパスの位相を割り当てないフィンガが存在する時に当該フィンガに対し、ブランチ毎に有効なパスの相関値の合計値を求めて前記合計値が最大のブランチを算出して前記合計値が最大のブランチの位相を割り当てる構成を採る。
【００１１】
この構成によれば、前記効果に加えて、移動局及び基地局の位置関係又は受信経路に影響されるパスの指向性を考慮したフィンガへの位相の割り当てを行うことが可能となるから、精度の良い干渉波電力値を算出することができる。
【００１２】
本発明の干渉波電力測定装置は、前記構成において、前記パスサーチ割り当て手段が、前記フィンガ閾値と前記遅延プロファイルから有効なパスの位相を順次に前記フィンガに割り当て、かつ、前記有効なパスの位相を割り当てないフィンガが存在する時に当該フィンガに対し、過去に割り当てた有効なパスの位相を抽出し前記抽出した位相を割り当てる構成を採る。
【００１３】
この構成によれば、前記効果に加えて、有効なパスが存在しない場合でもフィンガに位相を割り当てることができるから、精度の良い干渉波電力値を算出することができる。
【００１４】
本発明の干渉波電力測定装置は、拡散コードを用いて受信信号の１つのパスの信号を逆拡散して逆拡散結果を生成する複数のフィンガと、前記受信信号から遅延プロファイルを作成する遅延プロファイル計算手段と、前記遅延プロファイルに基づいて前記フィンガにパスの位相を割り当てるパスサーチ割り当て手段と、前記フィンガから得た前記逆拡散結果に基づいて干渉波電力値を演算する電力値演算手段と、を具備し、前記パスサーチ割り当て手段は、過去に前記有効なパスが存在したブランチからは前記干渉波電力値に基づいて前記フィンガ閾値を算出し、また、過去に前記有効なパスが存在しなかったブランチからは前記遅延プロファイルに基づいて前記フィンガ閾値を算出し、前記フィンガ閾値と前記遅延プロファイルから有効なパスの位相を判断して順次に前記フィンガに割り当て、かつ、前記有効なパスの位相を割り当てないフィンガが存在する時に当該フィンガに対し前記有効なパスの位相の平均値を割り当てる構成を採る。
【００１５】
この構成によれば、前記効果に加えて、フィンガ閾値を算出する際のパスサーチ割り当て手段の処理量を削減することができる。
【００１６】
本発明の移動局装置は、前記干渉波電力測定装置を具備する構成を採る。
【００１７】
この構成によれば、前記効果を有する移動局装置が得られる。
【００１８】
本発明の基地局装置は、前記干渉波電力測定装置を具備する構成を採る。
【００１９】
この構成によれば、前記効果を有する基地局装置が得られる。
【００２０】
【発明の実施の形態】
本発明の骨子は、受信信号の遅延プロファイルからフィンガ閾値を算出し、前記フィンガ閾値と前記遅延プロファイルから有効なパスの位相を判断して順次にフィンガに割り当て、かつ、前記有効なパスの位相を割り当てないフィンガが存在する時に当該フィンガに対し所定の位相を割り当てることである。
【００２１】
以下、本発明の実施の形態について、図面を参照して詳細に説明する。
【００２２】
（実施の形態１）
図１は本発明の実施の形態１に係る干渉波電力測定装置の構成を示すブロック図である。
【００２３】
図１に示すように、本発明の実施の形態１に係る干渉波電力測定装置１００は、遅延プロファイル計算部１０１、パスサーチ割当部１０２、複数のフィンガ１０３及び電力値演算部１０４を具備している。
【００２４】
パスサーチ割当部１０２の入力端子は、遅延プロファイル計算部１０１の出力端子に接続されている。複数のフィンガ１０３の制御端子は、パスサーチ割当部１０２の出力端子に接続されている。電力値演算部４の入力端子は、複数のフィンガ１０３の出力端子に接続されている。
【００２５】
遅延プロファイル計算部１０１は、受信信号に基づいて遅延プロファイルを生成する。パスサーチ割当部１０２は、遅延プロファイル計算部１０１が生成した遅延プロファイルに基づいてフィンガ閾値を算出し、前記フィンガ閾値と前記遅延プロファイルから有効なパスの位相を判断して順次に複数のフィンガ１０３に割り当て、かつ、前記有効なパスの位相を割り当てないフィンガ１０３が生じる時に当該フィンガ１０３に所定の位相を割り当てる。
【００２６】
複数のフィンガ１０３の各々は、パスサーチ割当部１０２から割り当てられた位相で拡散コードを用いて受信信号の逆拡散を行って逆拡散結果を生成して電力値演算部１０４に与える。電力値演算部１０４は、複数のフィンガ１０３から得た逆拡散結果に基づいて干渉波電力値を演算する。
【００２７】
次に、干渉波電力値の算出方法について、説明する。
【００２８】
各フィンガ１０３から得たＤＰＣＣＨの逆拡散結果に含まれるパイロットデータシンボルをｘ［ｍ］［Ｎ］．ｉ、ｘ［ｍ］［Ｎ］．ｑとし、期待パイロットパターンをＲＥＦ［Ｎ］．ｉ（＝±１）、ＲＥＦ［Ｎ］．ｑ（＝±１）とし、ｍをフィンガ１０３の番号（ｍ＝１〜Ｎｆ：Ｎｆはフィンガ１０３の数）とし、Ｎをシンボル番号（Ｎ＝１〜Ｎｐ：Ｎｐはパイロットシンボル数）とすると、フィンガ１０３毎のＤＰＣＣＨの逆拡散結果に含まれるパイロットデータシンボルの積積Ｓｘ［ｍ］［Ｎ］．ｉと、期待パイロットパターンの積Ｓｘ［ｍ］［Ｎ］．ｑ（Ｎ＝１〜Ｎｐ、ｍ＝１〜Ｎｆ）とは、次の（式１）、（式２）のようになる。
【００２９】
Ｓｘ［ｍ］［ｎ］．ｉ＝ＲＥＦ［ｎ］．ｉ×ｘ［ｍ］［ｎ］．ｉ　　…　（式１）
Ｓｘ［ｍ］［ｎ］．ｑ＝ＲＥＦ［ｎ］．ｑ×ｘ［ｍ］［ｎ］．ｑ　　…　（式２）
フィンガ１０３各々の平均希望波電力値ｒｓｓｉ［ｍ］［Ｎ］．ｉ、ｒｓｓｉ［ｍ］［Ｎ］．ｑは、次の（式３）、（式４）のようになる。
【００３０】
【数１】
2004056585.tif 000003
【数２】
2004056585.tif 000004
【００３１】
フインガ１０３の各々の干渉波電力値ｉｓｓｉ［ｍ］［Ｎ］．ｉ、　ｉｓｓｉ［ｍ］［Ｎ］．ｑは、次の（式５）、（式６）のようになる
【００３２】
ｉｓｓｉ［ｍ］［ｎ］．ｉ＝Ｓｘ［ｍ］［ｎ］．ｉ−ｒｓｓｉ．ｉ［ｍ］…　（式５）
ｉｓｓｉ［ｍ］［ｎ］．ｑ＝Ｓｘ［ｍ］［ｎ］．ｑ−ｒｓｓｉ．ｑ［ｍ］…　（式６）
【００３３】
したがって、フィンガ１０３の各々の干渉波電力値ｉｓｓｉ［ｍ］は、次の（式７）のようになる。
【００３４】
【数３】
2004056585.tif 000005
【００３５】
この（式７）に基づいて、フィンガ１０３の干渉波電力の平均値ｉｓｓｉは、次の（式８）のようになる。
【００３６】
【数４】
2004056585.tif 000006
【００３７】
次に、パスサーチ割当部１０２の動作について、図２を用いて説明する。図２は、本発明の実施の形態１に係る干渉波電力測定装置１００のパスサーチ割当部１０２の動作を説明するためのフロー図である。
【００３８】
図２に示すように、パスサーチ割当部１０２は、遅延プロファイル計算部１０１が生成した遅延プロファイルに基づいて各位相の相関値を求め（ステップＳＴ２０１）、各位相の相関値を用いてフィンガ閾値を算出する（ステップＳＴ２０２）。フィンガ閾値は、例えば、次の（式９）に基づいて求めることができる。
【００３９】
（フィンガ閾値）＝（各位相の相関値の平均）＋Ｘ（ここで、Ｘは任意の数）　…　（式９）
【００４０】
次に、各位相の中でフィンガ閾値以上の相関値を持つ位相を有効なパスの位相としてフィンガ１０３に割り当てる（ステップＳＴ２０３）。次に、有効なパスの位相が割り当てられないフィンガ１０３が存在するか否かを判断し（ステップＳＴ２０４）、有効なパスの位相が割り当てられないフィンガ１０３が存在しない場合にはフィンガ１０３への位相の割り当てを終了する（ステップＳＴ２０５）。
【００４１】
ステップＳＴ２０４において、有効なパスの位相が割り当てられないフィンガ１０３が存在する場合は、順次にフィンガ１０３に、次の（式１０）で示す位相を割り当てる、すなわち、有効なパスの位相の平均値を割り当てる（ステップＳＴ２０６）。
【００４２】
（新しく割り当てられる位相）＝（有効なパスの位相の平均）＋Ａ×Ｎ
（ここで、Ｎ＝±１，±２，±３，・…，Ａは任意の数）　…　（式１０）
【００４３】
次に、ステップＳＴ２０７において位相が割り当てられないフィンガ１０３が存在するかを判断する。ステップＳＴ２０７において位相が割り当てられないフィンガ１０３が存在する場合には、ステップＳＴ２０６に戻る。また、ステップＳＴ２０７において位相が割り当てられないフィンガ１０３が存在しない場合には、フィンガ１０３への位相の割り当てを終了する（ステップＳＴ２０５）。
【００４４】
ここで、フィンガ１０３の数が４であり、フィンガ閾値を超える有効なパスが２つ（有効なパスａと有効なパスｂ）存在する場合について具体的に説明する。パスサーチ割当部１０２は、２つのフィンガ１０３にそれぞれ有効なパスａ、ｂの位相を割り当てる。残りの２つのフィンガ１０３に、それぞれ［（有効なパスａの位相＋有効なパスｂの位相）／２±Ａ］の位相を割り当てる。
【００４５】
このように、本発明の実施の形態１によれば、一定の数のフィンガ１０３に位相を割り当てることができるため、有効なパス数が少ない場合でも、フィンガ１０３の数による分散が少ない干渉波電力値を算出することができるから、干渉波電力値の測定精度を向上させることができる。
【００４６】
（実施の形態２）
次に、本発明の実施の形態２について、図面を参照して詳細に説明する。図３は、本発明の実施の形態２に係る干渉波電力測定装置の構成を示すブロック図である。本発明の実施の形態２においては、本発明の実施の形態１と同じ構成要素には同じ参照符号が付されている。
【００４７】
図３に示すように、本発明の実施の形態２に係る干渉波電力測定装置３００は、本発明の実施の形態１に係る干渉波電力測定装置１００において、パスサーチ割当部１０２の代わりにパスサーチ割当部３０１を具備している。すなわち、本発明の実施の形態２に係る干渉波電力測定装置３００は、遅延プロファイル計算部１０１、パスサーチ割当部３０１、複数のフィンガ１０３及び電力値演算部１０４を具備している。
【００４８】
次に、パスサーチ割当部３０１の動作について、図４を用いて説明する。図４は、本発明の実施の形態２に係る干渉波電力測定装置３００パスサーチ割当部３０１の動作を説明するためのフロー図である。
【００４９】
図４に示すように、パスサーチ割当部３０１は、遅延プロファイル計算部１が生成した遅延プロファイルに基づいて各位相の相関値を求め（ステップＳＴ４０１）、各位相の相関値を用いてフィンガ閾値を算出する（ステップＳＴ４０２）。フィンガ閾値は、前記（式９）に基づいて求めることができる。次に、フィンガ閾値以上の相関値を持つ位相を有効なパスとしてフィンガ１０３に割り当てる（ステップＳＴ４０３）。
【００５０】
次に、有効なパスの位相が割り当てられないフィンガ１０３が存在するか否かを判断し（ステップＳＴ４０４）、有効なパスの位相が割り当てられないフィンガ１０３が存在しない場合にはフィンガ１０３への位相の割り当てを終了する（ステップＳＴ４０５）。
【００５１】
ステップＳＴ４０４において、有効なパスの位相が割り当てられないフィンガ１０３が存在する場合には、ブランチ毎に有効なパスの相関値の合計値を求めて前記合計値が最大であるブランチを算出し（ステップＳＴ４０６）、有効なパスの位相が割り当てられないフィンガ１０３に対し、有効なパスの相関値の合計値が最大であるブランチの位相を割り当てる（ステップＳＴ４０７）。次に、位相が割り当てられないフィンガ１０３が存在するか否かを判断する（ステップＳＴ４０８）。ステップＳＴ４０８において位相が割り当てられないフィンガ１０３が存在する場合には、ステップＳＴ４０７に戻ってフィンガ１０３に位相を割り当てる。ステップＳＴ４０８において位相が割り当てられないフィンガ１０３が存在しない場合にはフィンガ１０３への位相の割り当てを終了する（ステップＳＴ４０５）。
【００５２】
本発明の実施の形態２によれば、本発明の実施の形態１の効果に加えて、移動局及び基地局の位置関係又は受信経路に影響されるパスの指向性を考慮したフィンガ１０３への位相の割り当てを行うことが可能となるから、精度の良い干渉波電力値を算出することができる。
【００５３】
（実施の形態３）
次に、本発明の実施の形態３について、図面を参照して詳細に説明する。図５は、本発明の実施の形態３に係る干渉波電力測定装置の構成を示すブロック図である。本発明の実施の形態３においては、本発明の実施の形態１と同じ構成要素には同じ参照符号が付されている。
【００５４】
図５に示すように、本発明の実施の形態３に係る干渉波電力測定装置５００は、本発明の実施の形態１に係る干渉波電力測定装置１００において、パスサーチ割当部１０２の代わりにパスサーチ割当部５０１を具備している。すなわち、本発明の実施の形態３に係る干渉波電力測定装置５００は、遅延プロファイル計算部１０１、パスサーチ割当部５０１、複数のフィンガ１０３及び電力値演算部１０４を具備している。
【００５５】
次に、パスサーチ割当部５０１の動作について、図６を用いて説明する。図６は、本発明の実施の形態３に係る干渉波電力測定装置５００のパスサーチ割当部５０１の動作を説明するためのフロー図である。
【００５６】
図６に示すように、パスサーチ割当部５０１は、遅延プロファイル計算部１０１が生成した遅延プロファイルに基づいて各位相の相関値を求め（ステップＳＴ６０１）、これらの各相関値を用いてフィンガ閾値を算出する（ステップＳＴ６０２）。フィンガ閾値は、前記（式９）に基づいて求めることができる。次に、フィンガ閾値以上の相関値を持つ位相を有効なパスとして、フィンガ１０３に割り当てる（ステップＳＴ６０３）。
【００５７】
次に、有効なパスの位相が割り当てられないフィンガ１０３が存在するか否かを判断し（ステップＳＴ６０４）、有効なパスの位相が割り当てられないフィンガ１０３が存在しない場合にはフィンガ１０３への位相の割り当てを終了する（ステップＳＴ６０５）。
【００５８】
ステップＳＴ６０４において、有効なパスの位相が割り当てられないフィンガ１０３が存在する場合には、有効なパスの位相が割り当てられないフィンガ１０３に過去に割り当てた位相を抽出して（ステップＳＴ６０６）、この抽出した位相を有効なパスの位相が割り当てられないフィンガ１０３に順次に割り当てる（ステップＳＴ６０７）。次に、位相が割り当てられないフィンガ１０３が存在するか否かを判断する（ステップＳＴ６０８）。ステップＳＴ６０８において位相が割り当てられないフィンガ１０３が存在する場合には、ステップＳＴ６０７に戻ってフィンガ１０３に位相を割り当てる。ステップＳＴ６０８において位相が割り当てられないフィンガ１０３が存在しない場合にはフィンガ１０３への位相の割り当てを終了する（ステップＳＴ６０５）。
【００５９】
本発明の実施の形態３によれば、本発明の実施の形態１の効果に加えて、有効なパスが存在しない場合でもフィンガ１０３に位相を割り当てることができるから、精度の良い干渉波電力値を算出することができる。
【００６０】
（実施の形態４）
次に、本発明の実施の形態４について、図面を参照して詳細に説明する。図７は、本発明の実施の形態４に係る干渉波電力測定装置の構成を示すブロック図である。本発明の実施の形態４においては、本発明の実施の形態１と同じ構成要素には同じ参照符号が付されている。
【００６１】
図７に示すように、本発明の実施の形態４に係る干渉波電力測定装置７００は、本発明の実施の形態１に係る干渉波電力測定装置１００において、パスサーチ割当部１０２の代わりにパスサーチ割当部７０１を具備している。すなわち、本発明の実施の形態４に係る干渉波電力測定装置７００は、遅延プロファイル計算部１０１、パスサーチ割当部７０１、複数のフィンガ１０３及び電力値演算部１０４を具備している。
【００６２】
次に、パスサーチ割当部７０１の動作について、図８を用いて説明する。図８は、本発明の実施の形態４に係る干渉波電力測定装置７００のパスサーチ割当部７０１の動作を説明するためのフロー図である。
【００６３】
パスサーチ割当部７０１は、遅延プロファイル計算部１０１が生成した遅延プロファイルに基づいて各位相の相関値を求める（ステップＳＴ８０１）。次に、ブランチ毎に過去に有効なパスが存在したかを調べる（ステップＳＴ８０２）。次に、ステップＳＴ８０３において過去に有効なパスが存在したブランチであるかを判断する。ステップＳＴ８０３において過去に有効なパスが存在したブランチである時には、次の（式１１）に基づいて算出する、すなわち、干渉波電力値からフィンガ閾値を算出する（ステップＳＴ８０４）。
【００６４】
（フィンガ閾値）＝（過去の干渉波受信電力値）＋Ｙ（ここで、Ｙは任意の数）　…　（式１１）
また、ステップＳＴ８０３において過去に有効なパスが存在したブランチでない時には、遅延プロファイルを基づいて算出した各位相の相関値を用いてフィンガ閾値を算出する（ステップＳＴ８０５）。フィンガ閾値は、前記（式９）に基づいて求めることができる。
【００６５】
次に、ステップＳＴ８０６において、全てのブランチでフィンガ閾値の算出が終了したか否かを判断し、全てのブランチでフィンガ閾値の算出が終了していない時にはステップＳＴ８０２に戻る。ステップＳＴ８０６において全てのブランチでフィンガ閾値の算出が終了した時に、各位相の中でフィンガ閾値以上の相関値を持つ位相を有効なパスとしてフィンガ１０３に割り当てる（ステップＳＴ８０７）。
【００６６】
次に、有効なパスの位相が割り当てられないフィンガ１０３が存在するか否かを判断し（ステップＳＴ８０８）、有効なパスの位相が割り当てられないフィンガ１０３が存在しない場合にはフィンガ１０３への位相の割り当てを終了する（ステップＳＴ８０９）。
【００６７】
ステップＳＴ８０８において、有効なパスの位相が割り当てられないフィンガ１０３が存在する場合は、順次にフィンガ１０３に、前記（式１０）で示す位相を割り当てる、すなわち、有効なパスの位相の平均値を割り当てる（ステップＳＴ８１０）。
【００６８】
次に、ステップＳＴ８１１において位相が割り当てられないフィンガ１０３が存在するかを判断する。ステップＳＴ８１１において位相が割り当てられないフィンガ１０３が存在する場合には、ステップＳＴ８１０に戻る。また、ステップＳＴ８１１において位相が割り当てられないフィンガ１０３が存在しない場合には、フィンガ１０３への位相の割り当てを終了する（ステップＳＴ８０９）。
【００６９】
本発明の実施の形態４によれば、本発明の実施の形態１の効果に加えて、フィンガ閾値を算出する際のパスサーチ割当部の処理量を削減することができる。
【００７０】
なお、本発明は、干渉波電力測定装置を具備する移動局装置又は基地局装置に適用することができる。
【００７１】
【発明の効果】
以上説明したように、本発明の干渉波電力測定装置によれば、一定の数のフィンガに位相を割り当てることができるため、有効なパス数が少ない場合でも、フィンガの数による分散が少ない干渉波電力値を算出することができるから、干渉波電力値の測定精度を向上させることができる。
【図面の簡単な説明】
【図１】本発明の実施の形態１に係る干渉波電力測定装置の構成を示すブロック図
【図２】本発明の実施の形態１に係る干渉波電力測定装置のパスサーチ割当部の動作を説明するためのフロー図
【図３】本発明の実施の形態２に係る干渉波電力測定装置の構成を示すブロック図
【図４】本発明の実施の形態２に係る干渉波電力測定装置のパスサーチ割当部の動作を説明するためのフロー図
【図５】本発明の実施の形態３に係る干渉波電力測定装置の構成を示すブロック図
【図６】本発明の実施の形態３に係る干渉波電力測定装置のパスサーチ割当部の動作を説明するためのフロー図
【図７】本発明の実施の形態４に係る干渉波電力測定装置の構成を示すブロック図
【図８】本発明の実施の形態４に係る干渉波電力測定装置のパスサーチ割当部の動作を説明するためのフロー図
【符号の説明】
１００、３００、５００、７００　干渉波電力測定装置
１０１　遅延プロファイル計算部
１０２、３０１、５０１、７０１　パスサーチ割当部
１０３　フィンガ
１０４　電力値演算部
【図１】
2004056585.tif 000007
【図２】
2004056585.tif 000008
【図３】
2004056585.tif 000009
【図４】
2004056585.tif 000010
【図５】
2004056585.tif 000011
【図６】
2004056585.tif 000012
【図７】
2004056585.tif 000013
【図８】
2004056585.tif 000014